(57)【特許請求の範囲】
【請求項１】
取り込んだ波形データを記憶媒体に保存する機能を有するデジタルオシロスコープにおいて、
デジタルオシロスコープの画面上から必要な領域の波形データを選択する手段と、
前記画面上に表示される波形データのうち選択された領域の波形データと共に時間軸情報を、記憶媒体にデータファイルとして保存する手段と、
前記データファイルに保存した波形データと時間軸情報とに基づいて、選択された領域の波形データを時間的な位置関係を維持して前記画面上に波形表示する手段と
を備え、選択されていない領域の波形を除去し、選択されていない領域も含めて波形表示したことを特徴とするデジタルオシロスコープ。
【請求項２】
前記データファイルは、ファイル番号や測定レンジ、時間軸レンジの設定情報を記憶する共通ヘッダ部と、前記選択された領域毎に波形データの先頭アドレスやデータ数を記憶する個別ヘッダ部を備えたことを特徴とする請求項１に記載のデジタルオシロスコープ。
【発明の詳細な説明】
【０００１】
【発明の属する技術分野】
本発明は、デジタルオシロスコープにおける波形データの保存方法の改善に関するものである。
【０００２】
【従来の技術】
デジタルオシロスコープとは被測定対象をアナログ信号として入力しＡ／Ｄ変換器でデジタル信号に変換した後、そのデジタル信号を一旦保持し、そのデータを用いて画面に表示し観測するための測定器である。また、一旦保持したデータはデータファイルとして内部メモリやフロッピー（登録商標）ディスクなどの記憶媒体に保存することが可能である。
【０００３】
従来のデジタルオシロスコープの構成を図５を用いて説明する。同図においてメモリ１１０には被測定対象のアナログ信号をＡ／Ｄ変換して得られたサンプリングデータが格納されている。データ処理装置１２０はメモリ１１０に格納されたサンプリングデータについてにＰ−Ｐ圧縮処理等必要なデータ処理を施して表示メモリ１４０に処理されたデータを格納する。表示コントロール装置１３０は表示メモリ１４０に格納されたデータを読み出して表示装置１５０に表示している。
【０００４】
また、データ処理装置１２０にはサンプリングデータを保存するための内部メモリ１６０とフロッピーディスクドライブ装置１７０が接続されている。
【０００５】
このような構成のデジタルオシロスコープにおいて測定者は被測定対象の波形を表示装置に表示された波形によって監視することが可能である。また更にメモリ１１０に格納されたサンプリングデータを内部メモリ１６０やフロッピーディスクドライブ装置１７０によって保存することが可能である。
【０００６】
【発明が解決しようとする課題】
しかしながら従来のデジタルオシロスコープにおけるサンプリングデータの保存方法では、以下のような様々な問題点が指摘されていた。
【０００７】
図６において、デジタルオシロスコープの表示装置に表示された波形データ５１を注視すると解析に必要な領域は領域７２と領域７４でありその他の領域７１と領域７３と領域７５は解析に必要でないノイズの領域であることがわかる。
【０００８】
従来のサンプリングデータの保存方法では取り込んだサンプリングデータ全体を保存する構成となっていたため解析に必要な領域の波形データ以外のデータも一緒に保存されてしまう。このためデータファイルの容量が肥大化しデータファイルの転送や読み込みに余分な時間を労すだけでなく保存する記憶媒体の容量を無駄に消費しデータ解析のコストを増大させてしまうという課題があった。
【０００９】
また、大容量の内部メモリを搭載したデジタルオシロスコープでは大容量のデータファイルを保存することが可能であるが、これをパーソナルコンピュータに転送して解析する場合データファイルの容量をフロッピーディスクの容量範囲内に抑える必要がある。つまり、大容量の内部メモリを搭載したデジタルオシロスコープでは波形データの情報量は落とさず容量のみを抑える波形データの保存手段が必要となるのである。
【００１０】
本発明は、上記課題を解決するもので、取り込んだ波形データを内部メモリやフロッピーディスク等の記憶媒体に保存する機能を有するデジタルオシロスコープにおいて、必要な領域の波形データのみを選択して内部メモリやフロッピーディスク等の記憶媒体にデータファイルとして保存する機能を備えたデジタルオシロスコープを提供することを目的とする。
【００１１】
【課題を解決するための手段】
このような目的を達成するために請求項１記載の発明では、
取り込んだ波形データを記憶媒体に保存する機能を有するデジタルオシロスコープにおいて、
デジタルオシロスコープの画面上から必要な領域の波形データを選択する手段と、
前記画面上に表示される波形データのうち選択された領域の波形データと共に時間軸情報を、記憶媒体にデータファイルとして保存する手段と、
前記データファイルに保存した波形データと時間軸情報とに基づいて、選択された領域の波形データを時間的な位置関係を維持して前記画面上に波形表示する手段と
を備え、選択されていない領域の波形を除去し、選択されていない領域も含めて波形表示したことを特徴とするものである。
【００１４】
請求項２に記載の発明では、前記データファイルにファイル番号や測定レンジ、時間軸レンジの設定情報を記憶する共通ヘッダ部と、被選択領域毎の波形データの先頭アドレスやデータ数を記憶する個別ヘッダ部を備えたことを特徴とするものである。
【００１５】
請求項１記載の発明では、デジタルオシロスコープの画面上から複数のカーソルによって指定された領域の波形データのみをデータファイルとして保存するため解析に必要のない波形データを除外して必要な波形データのみを選択して記憶媒体に保存することが可能である。
【００１６】
また、前記データファイルに選択された領域の波形データと共にその時間軸情報を保存することにより選択された領域の波形データを時間的な位置関係を維持して前記画面上に波形表示することが可能である。
【００１７】
請求項２に記載の発明では、前記共通ヘッダ部と、被選択領域毎の波形データ毎に個別ヘッダ部を備えたことにより領域毎に分割された波形データを効率的に保存することが可能となる。
【００１８】
【発明の実施の形態】
以下図面を用いて本発明を詳しく説明する。図１は本発明に係るデジタルオシロスコープの一実施例を示す構成図である。同図において従来例である図５と異なる点は、データ処理装置１２０にカーソル制御手段と波形データ切出し手段とを備え、それにカーソル移動キー１８０をに接続した点である。これによって測定者は画面上に表示されたカーソルを任意に移動させ保存する波形データの領域を選択することが可能である。
【００１９】
図２を用いて前記カーソルを用いて領域を指定する波形データの保存方法について説明する。同図においてデジタルオシロスコープの表示画面に表示された波形データ１１は解析に必要な領域である領域３２と領域３４と、解析に必要でない領域である領域３１と領域３３と領域３５から構成されている。
【００２０】
ここで測定器に備えられたモード切り替え手段により（図示せず）測定器のモードを波形データ保存モードにすると、データファイルに保存する領域を選択するための複数の垂直カーソル（以下カーソルとする）２１〜２４が波形データ１１とオーバーラップして表示される、このカーソルはカーソル移動キー１８０により水平方向に任意に移動可能である。
【００２１】
次に、データファイルに保存すべき領域である領域３２を指定するため、前記カーソル移動キー１８０を用いて第１の保存開始点ａを画面上に表示された第１カーソル２１で指定し第１の保存終了点ｂを第２カーソル２２で指定する。同様に次に保存する領域である領域３４を指定するため、第２の保存開始点ｃを第３カーソル２３で指定し第２の保存終了点ｄを第４カーソル２４で指定する。
【００２２】
この時、第１の保存開始点ａの波形データのアドレスが先頭アドレスＡｄｄ１として記憶され、同時に前記第１の保存開始点ａから前記第１の保存終了点ｂまでの波形データのデータ数Ｄａ１が記憶される。
【００２３】
同様に、第２の保存開始点ｃの波形データのアドレスが先頭アドレスＡｄｄ２として記憶され、同時に前記第２の保存開始点ｃから前記第１の保存終了点ｄまでの波形データのデータ数Ｄａ２が記憶される。
【００２４】
その後、デジタルオシロスコープ本体に備えられた波形データの保存を指示する手段（図示せず）により波形データの保存を実行する。この時、データファイルにはファイル番号や測定レンジ、時間軸レンジ等の設定情報等が共通ヘッダとして保存される。それに続き領域３２の先頭アドレスＡｄｄ１とデータ数Ｄａ１が第１の個別ヘッダ部として領域３２の波形データと共に保存され、その後に領域３４の先頭アドレスＡｄｄ２とデータ数Ｄａ２が第２の個別ヘッダ部として領域３４の波形データと共に保存される。
【００２５】
図３にこの時保存されるデータファイルの構造を示す。波形データ１１のデータファイル８０は以下に説明する３つのデータ集合体より構成されている。
【００２６】
その第１のデータ集合体はファイル番号や測定レンジ、時間軸レンジ等の設定情報等が保存された共通ヘッダ８１である。
【００２７】
第２のデータ集合体は領域３２の先頭アドレスＡｄｄ１とデータ数Ｄａ１が保存された第１の個別ヘッダ部８２と前記先頭アドレスＡｄｄ１から前記データ数Ｄａ１分の波高値データ８３から成る領域３２の波形データ８４である。
【００２８】
第３のデータ集合体は領域３４の先頭アドレスＡｄｄ２とデータ数Ｄａ２が保存された第２の個別ヘッダ部８５と前記先頭アドレスＡｄｄ２から前記データ数Ｄａ２分の波高値データ８６から成る領域３４の波形データ８７である。
【００２９】
図４は以上の構成により保存したデータファイル８０を読み込んでデジタルオシロスコープの表示画面に表示させた画面表示例である。
【００３０】
データ処理装置１２０はデータファイル８０の共通ヘッダ８１に保存された時間軸レンジと第１の個別ヘッダ部８２に保存された前記先頭アドレスＡｄｄ１よりデジタルオシロスコープの表示画面上における前記保存開始点ａの位置を求めこれを起点に前記波高値データ８３を順次画面に表示する。
【００３１】
同様にデータ処理装置１２０は前記時間軸レンジと第２の個別ヘッダ部８５に保存された前記先頭アドレスＡｄｄ２よりデジタルオシロスコープの表示画面上における前記保存開始点ｃの位置を求めこれを起点に前記波高値データ８６を順次画面に表示する。
【００３２】
同図において明らかなように、解析に必要な領域である領域３２と領域３４の波形データのみ波形が時間軸に対応して表示され、解析に必要でない領域はすべて除去されている。
【００３３】
このようにして、必要な領域の波形データのみを選択してデータファイルとして内部メモリやフロッピーディスク等の記憶媒体に保存する機能を備えたデジタルオシロスコープを提供することが可能となる。
【００３４】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３５】
【発明の効果】
以上説明したように本発明によれば次のような効果がある。
請求項１記載の発明では、取り込んだ波形データを記憶媒体に保存する機能を有するデジタルオシロスコープにおいて、必要な領域の波形データのみを選択して記憶媒体にデータファイルとして保存する機能を備えたため波形データを解析に必要な情報を損なわない範囲で必要最小限度の容量で保存することが可能である。これによって、波形データの保存や読み出しに必要な時間を大幅に削減できるばかりでなく記憶媒体の容量をも削減することができるため解析に必要なコストを大幅に削減することが可能である。
【００３６】
また、画面上に表示された複数のカーソルを動かすことにより必要な領域の波形データを選択する構成としたため、必要な波形データの領域を直感的に指定することが可能である。これにより測定者は、容易にまた確実に必要な波形データの領域を指定することが可能である。
【００３７】
また、前記データファイルに指定された領域の波形データと共にその時間軸情報を保存することにより選択された領域の波形データを時間的な位置関係を維持して画面上に波形表示することが可能である。これにより選択されたデータが時間軸に対応して表示されるため、表示波形が見やすくなるばかりでなく意図的に不要な波形データを除外することも可能となる。これを利用してＦＦＴ等の周波数解析を精度良く実施することが可能となる。
【００３８】
請求項２に記載の発明では、前記データファイルにファイル番号や測定レンジ、時間軸レンジの設定情報を記憶する共通ヘッダ部と、被選択領域毎の波形データの先頭アドレスやデータ数を記憶する個別ヘッダ部を備えたことにより領域毎に分割された波形データを効率的に保存することが可能となる。これによって選択された領域の波形データの時間軸情報を再現するために必要なデータを必要最小限度のファイルサイズで保存することが可能である。
【図面の簡単な説明】
【図１】本発明に係るデジタルオシロスコープの一実施例を示す構成図である。
【図２】本発明に係るデジタルオシロスコープの画面表示例を示す図である。
【図３】本発明に係るデジタルオシロスコープのデータファイルの構成図である。
【図４】読み込んだデータファイルの画面表示例を示す図である。
【図５】従来のデジタルオシロスコープの一例を示す構成図である。
【図６】従来のデジタルオシロスコープの画面表示例を示す図である。
【符号の説明】
１１  波形データ
２１  第１カーソル
２２  第２カーソル
２３  第３カーソル
２４  第４カーソル
３２  ３４  解析に必要な領域
３１  ３３  ３５  解析に必要でない領域
５１  波形データ
７１  ７３  ７５  解析に必要でない領域
７２  ７４  解析に必要な領域
１１０  メモリ
１２０  データ処理装置
１３０  表示コントロール装置
１４０  表示メモリ
１５０  表示装置
１６０  内部メモリ
１７０  フロッピーディスクドライブ装置
１８０  カーソル移動キー
２０１  波形データ
２０２  Ｘ軸のアドレス
【図１】
0003562306.tif 000002
【図２】
0003562306.tif 000003
【図３】
0003562306.tif 000004
【図４】
0003562306.tif 000005
【図５】
0003562306.tif 000006
【図６】
0003562306.tif 000007